(57)【要約】【課題】  複数のメンバによりチームを編成するとき、適切なメンバを選択できるようにする。【解決手段】  イベントを提供する手段１０と、イベントに対する候補者１Ａ〜１Ｎの生体情報を検出するセンサ２１〜２５とを設ける。センサ２１〜２５の検出出力を処理して候補者１Ａ〜１Ｎの情緒の時間変化を示すデータを取り出す回路２７Ａ〜２７Ｎと、時間変化を示すデータを、候補者１Ａ〜１Ｎおよびイベントを示すデータとともに、データベース化して蓄積するデータベース装置２８とを設ける。データベース装置２８に蓄積された時間変化を示すデータのうち、複数の候補者１Ａ〜１Ｎのデータについて相関性を検出する相関検出回路３１と、相関検出回路３１の検出出力を評価する評価回路３２と、評価回路３２の評価結果を出力する出力装置３３とを設ける。【選択図】  図１
2005044150.tif 000002
【特許請求の範囲】
【請求項１】
チームあるいはグループのメンバの候補となる人を候補者と呼ぶとき、
イベントを提供する手段と、
上記イベントに対する上記候補者の生体情報を検出するセンサと、
このセンサの検出出力を処理して上記候補者の情緒の時間変化を示すデータを取り出す回路と、
上記時間変化を示すデータを、上記候補者および上記イベントを示すデータとともに、データベース化して蓄積するデータベース装置と
を有するデータ収集装置。
【請求項２】
チームあるいはグループのメンバの候補となる人を候補者と呼ぶとき、
イベントを提供する手段と、
上記イベントに対する上記候補者の生体情報を検出するセンサと、
このセンサの検出出力を処理して上記候補者の情緒の時間変化を示すデータを取り出す回路と、
上記時間変化を示すデータを、上記候補者および上記イベントを示すデータとともに、データベース化して蓄積するデータベース装置と、
このデータベース装置に蓄積された上記時間変化を示すデータのうち、複数の候補者のデータについて相関性を検出する相関検出回路と、
この相関検出回路の検出出力を評価する評価回路と、
この評価回路の評価結果を出力する出力装置と
を有するデータ収集装置。
【請求項３】
請求項１あるいは請求項２に記載のデータ収集装置において、
上記イベントを提供する手段は、映像および音響を提供する手段である
ようにしたデータ収集装置。
【請求項４】
請求項１あるいは請求項２に記載のデータ収集装置において、
上記イベントを提供する手段は、プラントの制御室や航空機のフライトシミュレータなどの実際の作業環境や訓練環境を提供する設備である
ようにしたデータ収集装置。
【請求項５】
請求項１、請求項２、請求項３あるいは請求項４に記載のデータ収集装置において、
上記センサは、脳波計、皮膚電導度センサ、心拍センサ、心電計、呼吸センサ、体動センサ、瞬目センサ、瞳孔径センサおよび視線センサの少なくとも１つである
ようにしたデータ収集装置。
【発明の詳細な説明】
【技術分野】
【０００１】
この発明はデータ収集装置に関する。
【背景技術】
【０００２】
例えば、複数のプレーヤがチームを組み、ネットワークを通じて競技や対戦などを行うオンラインゲームにおいては、状況に対する反応が似ているプレーヤでチームを構成すると、ゲームをスムーズに進めることができる。
【０００３】
また、船舶、航空機、宇宙船などの乗組員のように、長時間にわたって一緒にすごしながら作業を行なったり、協力してトラブルに対処しなければならないチームの場合、作業を効率的に行うには、メンバの息の合っていることが重要である。
【０００４】
ただし、全員が同じ性格を持つメンバでチームを構成すると、トラブルを生じたときに、全員が同じようにパニック状態になることもあるので、同じ性格を持つメンバでチームを構成することが必ずしもよいわけではなく、性格上の長所・短所を互いに補えるように構成することが望ましい。
【０００５】
また、夫婦は通常の意味での作業チームではないが、良好な関係を維持するにはお互いの息が合っていることが大事であり、これは上記の作業チームの場合と同様である。
【０００６】
そこで、チームのメンバの候補となる人（以下、「候補者」と呼ぶ）に、心理テストなどを行って各自の性格をデータベース化しておき、グループやチームを編成するとき、そのデータベースから適切なメンバを選考する方法が考えられている（例えば、特許文献１参照）。
【０００７】
しかし、心理テストの結果を参考にしてメンバを選考する場合には、もともとテストは実体験ではないので、限界を生じたり、テストの回答に候補者の主観的なバイアスが入り込んだりしてしまう。
【特許文献１】特開２００２−１５０５２号公報
【発明の開示】
【発明が解決しようとする課題】
【０００８】
この発明は、上記のように複数のメンバによりグループやチームを編成するとき、適切なメンバを選択できるようにしようとするものである。
【課題を解決するための手段】
【０００９】
この発明においては、
チームあるいはグループのメンバの候補となる人を候補者と呼ぶとき、
イベントを提供する手段と、
上記イベントに対する上記候補者の生体情報を検出するセンサと、
このセンサの検出出力を処理して上記候補者の情緒の時間変化を示すデータを取り出す回路と、
上記時間変化を示すデータを、上記候補者および上記イベントを示すデータとともに、データベース化して蓄積するデータベース装置と
を有するデータ収集装置
とする。
【発明の効果】
【００１０】
この発明によれば、これまでのチーム編成で考慮されていた能力、知識、技術などに加えて、危機に対して対処する場合の心理的な安定性などの要素も加味してメンバの選択を行うことができる。そして、その場合、候補者の生体情報を検出して感性プロフィールをデータベース化しているので、候補者の主観的なバイアスの入ることがほとんどなく、適切なメンバの選択を実現できる。
【００１１】
なお、この明細書においては、候補者の情緒、緊張、興奮などを示す生体情報の時間変化を当該候補者に呈示された刺激や環境の時間変化と対応づけて記録したものを「感性プロフィール」と呼ぶものとする。
【発明を実施するための最良の形態】
【００１２】
・第１の実施例
図１はこの発明の一例を示し、この例においては、候補者に、映像や音響により各種の状況ないし環境を与えて感性の情報、つまり、感性プロフィールを得る場合である。また、この例においては、複数の候補者１Ａ〜１Ｎに対して同時に感性プロフィールを得るようにした場合である。
【００１３】
すなわち、複数の候補者１Ａ〜１Ｎに、作業環境あるいは訓練環境などの刺激や環境を呈示する呈示装置１０として、スクリーン１１、ビデオプロジェクタ１２、スピーカ１３および信号源１４が設けられる。そして、ビデオプロジェクタ１２は、スクリーン１１の前方に配置され、スピーカ１３はスクリーン１１の後部あるいは周辺に配置されている。また、候補者１Ａ〜１Ｎはスクリーン１１の前方に並んで着席する。
【００１４】
さらに、信号源１４には、各種の内容の動画データ、静止画データ、楽音データ、音声データなどが保存されている。これらのデータは、候補者１Ａ〜１Ｎをチーム分けする場合に、そのチーム分けの条件や状況を提供する内容を有する。すなわち、候補者１Ａ〜１Ｎに、映画、音楽など情緒喚起的であり、かつ、その喚起する情緒が内容強度ともに時間的に変化するような刺激を与える内容とされている。そして、信号源１４は、マイクロコンピュータを有する制御装置１５により制御され、保存されているデータのうち、所定のデータをビデオ信号およびオーディオ信号に変換して出力する。
【００１５】
そして、信号源１４から出力されたビデオ信号がビデオプロジェクタ１２に供給され、スクリーン１１には動画あるいは静止画が表示される。さらに、信号源１４から出力されたオーディオ信号がスピーカ１３に供給されて音響として出力される。こうして、候補者１Ａ〜１Ｎは、制御装置１５により選択された内容の映像および音響の環境下とされる。例えば、相性診断のために候補者のデータを収集する場合であれば、ドラマ、スポーツ、音楽、朗読などの映像や音響が呈示される。
【００１６】
また、候補者１Ａ〜１Ｎのそれぞれには、各種の生体情報を検出するためのセンサ２１〜２５が装着される。この例においては、センサ２１は、候補者１Ａ〜１Ｎの脳波を測定する脳波計とされ、候補者１Ａ〜１Ｎの頭部にそれぞれ装着される。さらに、センサ２２は、候補者１Ａ〜１Ｎの皮膚電導度を測定する電導度センサとされ、候補者１Ａ〜１Ｎの例えば腕や足にそれぞれ装着される。
【００１７】
さらに、センサ２３および２４は、候補者１Ａ〜１Ｎの心拍および心電図を測定する心拍センサおよび心電計とされ、候補者１Ａ〜１Ｎの胸にそれぞれ装着される。また、センサ２５は、候補者１Ａ〜１Ｎの呼吸を測定する呼吸センサとされ、候補者１Ａ〜１Ｎの胸にそれぞれ装着される。
【００１８】
そして、候補者１Ａのセンサ２１〜２５の出力信号が、前処理回路２６Ａに供給されて以降の処理のための前処理が施されてから感性プロフィール生成回路２７Ａに供給され、候補者１Ａの情緒の時間変化を示すデータが取り出される。ここで、「候補者１Ａの情緒の時間変化」は、皮膚電導度を例にとって説明すると、電導度が急速に上昇した時点などが該当する。また、心拍であれば、心拍の速さ、心拍の速度が急に変化する時点、心拍のリズム（タイミング）が乱れる時点などである。さらに、呼吸の場合であれば、呼吸の速さおよび深さ、呼吸の速度が急に変化する時点、呼吸のリズムが乱れる時点、短時間息を止める時点などが該当する。
【００１９】
そして、これらの候補者１Ａの情緒の時間変化を示すデータが、その候補者１Ａの感性プロフィールとして例えばＨＤＤを有するデータベース装置２８に供給される。また、ビデオプロジェクタ１２およびスピーカ１３に供給されている信号を識別するデータが、データベース２８に供給される。こうして、ビデオプロジェクタ１２およびスピーカ１３の出力により再現される状況ないし状態が環境Ａを提供しているとすれば、データベース２８には、ある環境Ａを特定するデータと、その環境Ａに対する候補者１Ａの感性プロフィールとがデータベース化されて蓄積される。
【００２０】
また、残る候補者１Ｂ〜１Ｎのセンサ（２１〜２５）〜（２１〜２５）の出力信号も、前処理回路２６Ｂ〜２６Ｎおよび感性プロフィール生成回路２７Ｂ〜２７Ｎにより同様に処理されてからデータベース装置２８に供給され、ある環境Ａを特定するデータと、その環境Ａに対する候補者１Ｂ〜１Ｎの感性プロフィールとがそれぞれデータベース化されて蓄積される。さらに、必要ならば、制御装置１５が信号源１４を制御することにより、ビデオプロジェクタ１１およびスピーカ１３により呈示される環境が他の環境Ｂ、Ｃ、・・・に変更され、これら環境Ｂ、Ｃ、・・・に対する候補者１Ａ〜１Ｎの感性プロフィールもデータベース化される。
【００２１】
以上により環境Ａに対する候補者１Ａ〜１Ｎの感性プロフィールのデータベース化は終了であり、以後、他の候補者についても同様に感性プロフィールがデータベース化される。
【００２２】
そして、上述のようにして構築されたデータベースは、以下のように使用される。すなわち、制御装置１５からチームを編成するメンバの選択が指示されると、データベース装置２８から各候補者の感性プロフィールが取り出され、相関検出回路３１に供給される。また、制御装置１５から編成するチームに関する情報が相関検出回路３１に供給される。
【００２３】
この結果、相関検出回路３１においては、各候補者の組み合わせごとに、データベース装置２８に記録された感性プロフィールの相関が計算される。ここで、組み合わせの方法はどのようなチーム編成を望むかによって異なり、例えば、なんらかの作業を行う作業チームを編成する場合には、その作業に必要な人数の候補者の組み合わせであり、相性診断の場合には、男女それぞれ１名ずつの組み合わせである。
【００２４】
また、例えば相性診断の場合、心拍数であれば、その平均速度に対する偏差が二人の候補者で一致している度合い（その偏差の大きさの積、および一致している時間の長さ）、および二人の候補者で心拍数がほぼ同時に大きく変化することの回数を相関として計算する。
【００２５】
そして、この相関検出回路３１の検出結果が評価回路３２に供給されるとともに、制御装置１５により評価回路３２に評価基準が設定され、相関検出回路３１の検出結果が、各候補者の組み合わせごとに評価され、高い評価を得た候補者の組み合わせと、その評価値との組が出力される。
【００２６】
ここで、評価基準は、例えば、潜在的な危険を伴うような作業のチームの編成の場合には、パニックの相関が低い（トラブル時にチームのメンバのうち、誰か一人は落ち着いている）ことをプラスに評価するなどである。あるいは、相性診断であれば、喜びや悲しみの相関が高い（ドラマなどの刺激に対して、同じ場面で喜んだり悲しんだりしている）ことや、怒りの相関が高くない（一人が怒る場面でもう一人は平静である）ことをプラスに評価し、その逆をマイナスに評価することが一例である。
【００２７】
そして、評価回路３２の評価結果が出力装置３３に供給され、出力装置３３には、その高い評価を得た候補者の組み合わせと、その評価値とが表示、あるいはプリントアウトされる。なお、評価値があらかじめ設定したスレッショールドレベルよりも低いときには、該当する候補者の組み合わせのないことが出力される。
【００２８】
こうして、上述の装置においては、候補者に、情緒への影響の大きな刺激を与えながら、候補者の生体情報から感動、泣き、緊張などの情報を抽出してその時間変化を取り出し、この時間変化の一致不一致によって候補者を選択して組み合わせるようにしている。したがって、これまでのチーム編成で考慮されていた能力、知識、技術などに加えて、危機に対して対処する場合の心理的な安定性などの要素も加味してメンバの選択を行うことができる。そして、その場合、候補者１Ａ〜１Ｎの生体情報を検出して感性プロフィールをデータベース化しているので、候補者１Ａ〜１Ｎの主観的なバイアスの入ることがほとんどなく、適切なメンバの選択を実現できる。
【００２９】
また、例えば相性診断であれば、人間的な結びつきに重要な情緒の一致を使用しているので、息のよくあった男女の組み合わせを見つけることができ、結婚相手紹介産業などがよりよいサービスを提供することが可能となる。さらに、感性プロフィールの収集は、候補者ごとに異なる場所および時間で実施しても可能であり、遠隔地に居住する男女や休日などの日常生活のスケジュールが異なる男女間についても、同じサービスを提供することができる。
【００３０】
・第２の実施例
第１の実施例においては、映像および音響により各種の刺激を候補者１Ａ〜１Ｎに与えて感性プロフィールをデータベース化した場合であるが、実際の作業環境や訓練環境を提供する設備、例えば、オフィス、プラントの制御室、航空機のフライトシミュレータなどにより候補者の感性プロフィールをデータベース化することもできる。
【００３１】
図２は、そのような場合の一例を示し、この例においては、プラントの制御室の場合である。すなわち、この例においては、制御装置１５により各種の状況やトラブルなどに対応した映像や情報が、３台のモニタ（ディスプレイ）１６Ａ〜１６Ｃに表示され、二人の候補者１Ａ、１Ｂが各種の操作を実行してそのトラブルに対処していくようにされている。
【００３２】
そして、図１に示す例と同様にして、このときの候補者１Ａ、１Ｂの生体情報が検出されて感性プロフィールがデータベース化され、データベース装置２８に蓄積されるとともに、他の候補者についても感性プロフィールが蓄積される。また、その蓄積された感性プロフィールにより候補者の評価が行われ、適切な候補者の組み合わせと、その評価値とが出力装置３３に出力される。
【００３３】
そして、この例の場合には、通常通りの作業あるいは訓練を行うときに、候補者の生体情報を取得して感性プロフィールを得ることができるので、質問やアンケートなど特別な準備を必要としないとともに、より実際に即した結果を得ることができる。
【００３４】
・その他
上述において、候補者の生体情報を検出するセンサとして、上記以外に、候補者の体動を検出する振動ジャイロや加速度センサ、候補者の単位時間あたりのまばたきの回数を検出する瞬目センサ、候補者の瞳孔径の変化を検出する瞳孔径センサ、候補者の視線方向を検出する視線センサなどを利用することができる。
【００３５】
また、上述の装置において、回路２６Ａ〜２６Ｎ、２７Ａ〜２７Ｎ、３１、３２は、マイクロコンピュータが実行するソフトウェアにより実現することもできる。さらに、上述においては、複数の候補者の感性プロフィールを同時に取得したが、一人ずつ別々に取得することもできる。
【００３６】
〔この明細書で使用している略語の一覧〕
ＨＤＤ：Hard Disk Drive
【図面の簡単な説明】
【００３７】
【図１】この発明の一形態を示す系統図である。
【図２】この発明の他の形態を示す系統図である。
【符号の説明】
【００３８】
１Ａ〜１Ｎ…候補者、１０…呈示装置、１１…スクリーン、１２  ビデオプロジェクタ、１４…信号源、１５…制御装置、２１〜２５…センサ、２６Ａ〜２６Ｎ…前処理回路、２７Ａ〜２７Ｎ…感性プロフィール生成回路、２８…データベース装置、３１…相関検出回路、３２…評価回路、３３…出力装置
【図１】
2005044150.tif 000003
【図２】
2005044150.tif 000004